(57)【要約】【課題】各種の機能変更をこの投影装置に画像信号を出力する画像出力装置の側で任意にコントロールする。【解決手段】無線ＬＡＮにより接続された機器からの画像信号を受信して投影するデータプロジェクタ装置２で、投影機能の変更を指示する制御情報がコード化されて付加されている画像信号を受信する無線ＬＡＮインタフェース47と、受信した画像信号から付加されている制御情報のコードを抽出し、抽出した制御情報にしたがって投影機能の変更を実行する制御部46とを備える。【選択図】      図３
2007148124.tif 000002
【特許請求の範囲】
【請求項１】
画像出力装置と、この画像出力装置からの画像信号を受信して投影する投影装置とからなる投影システムであって、
上記画像出力装置は、上記投影装置での投影機能の変更を指示する制御情報をコード化して画像信号に付加して出力し、
上記投影装置は、画像出力装置が出力する画像信号に付加された制御情報のコードを抽出し、抽出した制御情報にしたがって投影機能の変更を実行する
ことを特徴とする投影システム。
【請求項２】
上記画像出力装置は複数台からなり、これら複数台の画像出力装置のうち、その時点で投影装置において画像信号が選択されている画像出力装置は、次に選択されるべき画像出力装置を指示する制御情報をコード化して画像信号に付加して出力し、
上記投影装置は、抽出した制御情報にしたがって画像出力装置からの画像信号を切替える
ことを特徴とする請求項１記載の投影システム。
【請求項３】
上記その時点で投影装置において画像信号が選択されている画像出力装置は、次に選択されるべき画像出力装置の指示に加えて切替えを行なうまでの時間を指示する制御情報をコード化して画像信号に付加して出力し、
上記投影装置は、抽出した制御情報にしたがったタイミングで画像出力装置からの画像信号を切替える
ことを特徴とする請求項２記載の投影システム。
【請求項４】
外部接続された機器からの画像信号を受信して投影する投影装置であって、
投影機能の変更を指示する制御情報がコード化されて付加されている画像信号を受信する受信手段と、
この受信手段で受信した画像信号から付加されている制御情報のコードを抽出する抽出手段と、
この抽出手段で抽出した制御情報にしたがって投影機能の変更を実行する制御手段と
を具備したことを特徴とする投影装置。
【請求項５】
外部接続された機器からの画像信号を受信して投影する投影装置の投影方法であって、
投影機能の変更を指示する制御情報がコード化されて付加されている画像信号を受信する受信工程と、
この受信工程で受信した画像信号から付加されている制御情報のコードを抽出する抽出工程と、
この抽出工程で抽出した制御情報にしたがって投影機能の変更を実行する制御工程と
を有したことを特徴とする投影方法。
【請求項６】
外部接続された機器からの画像信号を受信して投影する投影装置に内蔵されたコンピュータが実行するプログラムであって、
投影機能の変更を指示する制御情報がコード化されて付加されている画像信号を受信する受信ステップと、
この受信ステップで受信した画像信号から付加されている制御情報のコードを抽出する抽出ステップと、
この抽出ステップで抽出した制御情報にしたがって投影機能の変更を実行する制御ステップと
をコンピュータに実行させることを特徴とするプログラム。
【発明の詳細な説明】
【技術分野】
【０００１】
本発明は、例えば複数のパーソナルコンピュータとプロジェクタ装置とを接続したシステム等に好適な投影システム、投影装置、投影方法及びプログラムに関する。
【背景技術】
【０００２】
従来、映像信号にあった設定を容易に行なうべく、バーコード読込部でプロジェクタ装置の設定情報が記録されたバーコードデータのバーコード情報を読込み、そのバーコード情報に対して制御部が解析処理を行なって設定情報を取得し、その設定情報に基づいて映像の表示を行なう表示部の調整を行なうようにした技術が考えられていた。（例えば、特許文献１）
【特許文献１】特開２０００−３５６９７９号公報
【発明の開示】
【発明が解決しようとする課題】
【０００３】
しかしながら、上記特許文献に記載された技術は、その都度プロジェクタ装置のユーザが、プロジェクタ装置に備えられたバーコード読取り部で、表示させたい内容に対応したバーコードデータを選択して読取らせなければならない。
【０００４】
したがって、上記特許文献に記載された技術を用い、例えば複数のパーソナルコンピュータをプロジェクタ装置と接続し、常にパーソナルコンピュータのうちの一つを選択してその選択されたパーソナルコンピュータが出力する画像を投影表示させるようなシステムを考えた場合、パーソナルコンピュータの選択切換えを行なう際にはその都度プロジェクタ装置の側で、次に選択するパーソナルコンピュータを指示するためにバーコードの読取り動作を実行しなくてはならず、その手間が非常に煩雑なものとなる。
【０００５】
本発明は上記のような実情に鑑みてなされたもので、その目的とするところは、本来投影装置の側で行なわなければならない入力切替など各種の機能変更をこの投影装置に画像信号を出力するパーソナルコンピュータ等の画像出力装置の側で任意にコントロールすることが可能な投影システム、投影装置、投影方法及びプログラムを提供することにある。
【課題を解決するための手段】
【０００６】
請求項１記載の発明は、画像出力装置と、この画像出力装置からの画像信号を受信して投影する投影装置とからなる投影システムであって、上記画像出力装置は、上記投影装置での投影機能の変更を指示する制御情報をコード化して画像信号に付加して出力し、上記投影装置は、画像出力装置が出力する画像信号に付加された制御情報のコードを抽出し、抽出した制御情報にしたがって投影機能の変更を実行することを特徴とする。
【０００７】
請求項２記載の発明は、上記請求項１記載の発明において、上記画像出力装置は複数台からなり、これら複数台の画像出力装置のうち、その時点で投影装置において画像信号が選択されている画像出力装置は、次に選択されるべき画像出力装置を指示する制御情報をコード化して画像信号に付加して出力し、上記投影装置は、抽出した制御情報にしたがって画像出力装置からの画像信号を切替えることを特徴とする。
【０００８】
請求項３記載の発明は、上記請求項２記載の発明において、上記その時点で投影装置において画像信号が選択されている画像出力装置は、次に選択されるべき画像出力装置の指示に加えて切替えを行なうまでの時間を指示する制御情報をコード化して画像信号に付加して出力し、上記投影装置は、抽出した制御情報にしたがったタイミングで画像出力装置からの画像信号を切替えることを特徴とする。
【０００９】
請求項４記載の発明は、外部接続された機器からの画像信号を受信して投影する投影装置であって、投影機能の変更を指示する制御情報がコード化されて付加されている画像信号を受信する受信手段と、この受信手段で受信した画像信号から付加されている制御情報のコードを抽出する抽出手段と、この抽出手段で抽出した制御情報にしたがって投影機能の変更を実行する制御手段とを具備したことを特徴とする。
【００１０】
請求項５記載の発明は、外部接続された機器からの画像信号を受信して投影する投影装置の投影方法であって、投影機能の変更を指示する制御情報がコード化されて付加されている画像信号を受信する受信工程と、この受信工程で受信した画像信号から付加されている制御情報のコードを抽出する抽出工程と、この抽出工程で抽出した制御情報にしたがって投影機能の変更を実行する制御工程とを有したことを特徴とする。
【００１１】
請求項６記載の発明は、外部接続された機器からの画像信号を受信して投影する投影装置に内蔵されたコンピュータが実行するプログラムであって、投影機能の変更を指示する制御情報がコード化されて付加されている画像信号を受信する受信ステップと、この受信ステップで受信した画像信号から付加されている制御情報のコードを抽出する抽出ステップと、この抽出ステップで抽出した制御情報にしたがって投影機能の変更を実行する制御ステップとをコンピュータに実行させることを特徴とする。
【発明の効果】
【００１２】
請求項１記載の発明によれば、本来投影装置の側で行なわなければならない各種の機能変更をこの投影装置に画像信号を出力する画像出力装置の側で任意にコントロールすることが可能となる。
【００１３】
請求項２記載の発明によれば、上記請求項１記載の発明の効果に加えて、複数の画像出力装置が接続されている場合にそれらの画像出力装置の側で投影させる画像信号の切替えを制御できる。
【００１４】
請求項３記載の発明によれば、上記請求項２記載の発明の効果に加えて、切替えを行なうタイミングも合わせて制御できるため、複数の画像出力装置で１台の投影装置を共用しながら順次プレゼンテーションを行なう場合などに好適となる。
【００１５】
請求項４記載の発明によれば、本来投影装置の側で行なわなければならない各種の機能変更をこの投影装置に画像信号を出力する外部接続された機器の側で任意にコントロールすることが可能となる。
【００１６】
請求項５記載の発明によれば、本来投影装置の側で行なわなければならない各種の機能変更をこの投影装置に画像信号を出力する外部接続された機器の側で任意にコントロールすることが可能となる。
【００１７】
請求項６記載の発明によれば、本来投影装置の側で行なわなければならない各種の機能変更をこの投影装置に画像信号を出力する外部接続された機器の側で任意にコントロールすることが可能となる。
【発明を実施するための最良の形態】
【００１８】
以下本発明を複数のパーソナルコンピュータ（ＰＣ）１，１，‥‥と１台のデータプロジェクタ装置２とを無線ＬＡＮにより接続してなる投影システムに適用した実施の一形態について図面を参照して説明する。
【００１９】
図１は、無線ＬＡＮ接続により複数、例えば３台のパーソナルコンピュータ１，１，…とデータプロジェクタ装置２とを接続した状態を例示するもので、ここでは例えばＩＥＥＥ８０２．１１ｇ規格により双方向で接続されて、各パーソナルコンピュータ１，１，…からプレゼンテーションソフトウェアに基づいた画像データ及び音声データと後述する接続要求信号等を含む制御信号とがデータプロジェクタ装置２へ送出される。
【００２０】
データプロジェクタ装置２は、パーソナルコンピュータ１から送られてくる内容に従って画像データを投影し、併せて内蔵するスピーカ部より音声を拡声放音する。
【００２１】
各パーソナルコンピュータ１，１，…はいずれも、データプロジェクタ装置２に付属している記録媒体、例えばＣＤ−ＲＯＭによりこのデータプロジェクタ装置２用のドライブプログラムを予めインストールしており、同プログラムを実行することにより、特定のアプリケーションプログラム、例えばプレゼンテーションソフトウェアの実行時に画像データをデータプロジェクタ装置２へ送出する一方で、各種制御信号をデータプロジェクタ装置２へ出力する。
【００２２】
図２は、上記パーソナルコンピュータ１，１，…中の１台の構成について例示するものである。この図２は、パーソナルコンピュータ１のハードウェア構成を示すもので、各種処理制御を司るＣＰＵ１１とフロントサイドバスＦＳＢを介してノースブリッジ１２が接続される。
【００２３】
このノースブリッジ１２は、さらにメモリバスＭＢを介してメインメモリ１３と、またグラフィクスインタフェースＡＧＰを介してグラフィックコントローラ１４及びグラフィックメモリ１５と接続される他、サウスブリッジ１６とも接続され、主としてこれらの間での入出力制御を実行する。
【００２４】
サウスブリッジ１６は、ＰＣＩバス１７、キーボード／マウス１８、ビデオエンコーダ１９、無線ＬＡＮインタフェース（Ｉ／Ｆ）２０、マルチディスクドライブ２１、ハードディスク装置（ＨＤＤ）２２と接続され、主としてこれら周辺回路とノースブリッジ１２との間の入出力制御を行なう。
【００２５】
なお、これらパーソナルコンピュータ１を構成する個々の要素自体は、きわめて一般的な技術であるのでその説明は省略するものとする。
【００２６】
なお、ビデオエンコーダ１９は、与えられたデジタル値の画像信号からアナログ値の画像信号であるＲＧＢビデオ信号を生成して出力する。
【００２７】
無線ＬＡＮインタフェース２０は、無線アンテナ２３を介して例えば２．４［ＧＨｚ］帯の電波の送受により上述したＩＥＥＥ８０２．１１ｇ規格に則った無線ＬＡＮ内での各種データの送受を行なう。
【００２８】
ハードディスク装置２２は、ＯＳ（オペレーティングシステム）やプレゼンテーションソフトウェアを含む各種アプリケーションプログラム、データファイルと共に、上記データプロジェクタ装置２用のドライバソフトウェアをインストールして予め記憶しているものとする。
【００２９】
次に図３を用いて上記データプロジェクタ装置２の回路構成について説明する。  
図中、入出力コネクタ部３１より入力された各種規格の画像信号が、入出力インタフェース（Ｉ／Ｆ）３２、システムバスＳＢを介して画像変換部３３で所定のフォーマットの画像信号に統一された後に、投影エンコーダ３４へ送られる。
【００３０】
投影エンコーダ３４は、送られてきた画像信号をビデオＲＡＭ３５に展開記憶させた上でこのビデオＲＡＭ３５の記憶内容からビデオ信号を生成して投影駆動部３６に出力する。
【００３１】
この投影駆動部３６は、送られてきた画像信号に対応して適宜フレームレート、例えば例えば６０［フレーム／秒］と色成分の分割数、及び表示階調数を乗算した、より高速な時分割駆動で空間的光変調素子（ＳＯＭ）である例えばマイクロミラー素子３７を表示駆動する。
【００３２】
このマイクロミラー素子３７に対して、リフレクタ３８内に配置された光源ランプ３９が出射する高輝度の白色光を、カラーホイール４０を介して適宜原色に着色し、ライトトンネル４１で輝度分布を均一化した後にミラー４２で全反射して照射することで、その反射光で光像が形成され、投影レンズ４３を介してここでは図示しないスクリーンに投影表示される。
【００３３】
しかるに、光源ランプ３９の点灯駆動と、カラーホイール４０を回転駆動するモータ（Ｍ）４４はいずれも投影光処理部４５からの供給電圧値に基づいて動作する。
【００３４】
上記各回路のすべての動作制御を司るのが制御部４６である。この制御部４６は、ＣＰＵと、投影動作時に該ＣＰＵで実行される動作プログラムを記憶した不揮発性メモリ、及びワークメモリ等により構成される。
【００３５】
この制御部４６にはまた、上記システムバスＳＢを介して無線ＬＡＮインタフェース（Ｉ／Ｆ）４７、測距処理部４８、及び音声処理部４９が接続される。
【００３６】
無線ＬＡＮインタフェース４７は、無線アンテナ５０を介して例えば２．４［ＧＨｚ］帯の電波の送受により上述したＩＥＥＥ８０２．１１ｇ規格に則った各種データの送受を行なう。
【００３７】
測距処理部４８は、データプロジェクタ装置２の筐体前面の投影レンズ４３近傍に互いに直交するように埋設形成された２対の位相差センサからなる測距センサ５１を制御駆動し、それらの検出出力から任意の点位置までの距離を算出するもので、算出された距離値データは上記制御部４６へ送られる。
【００３８】
音声処理部４９は、ＰＣＭ音源等の音源回路を備え、投影動作時に与えられる音声データをアナログ化し、スピーカ５２を駆動して拡声放音し、あるいは必要によりビープ音等を発生させる。
【００３９】
なお、データプロジェクタ装置２は、その筐体上面に備えられるキースイッチ（ＳＷ）部５３における各キー操作信号が直接制御部４６に入力されると共に、Ｉｒ受信部５４からの信号も直接制御部４６に入力される。
【００４０】
このＩｒ受信部５４は、データプロジェクタ装置２の筐体前面及び背面にそれぞれ設けられるＩｒ受信窓部より、このデータプロジェクタ装置２付属の図示しないリモートコントローラからの操作信号、あるいは外部機器からのＩｒＤＡ規格に則った赤外線変調信号を受信し、その受信信号をコード信号化して制御部４６に送出する。
【００４１】
次に上記実施の形態の第１の動作例について説明する。  
図４は、その時点で出力する画像信号がデータプロジェクタ装置２で選択され、投影表示されているパーソナルコンピュータ１の側で、データプロジェクタ装置２用のドライバソフトウェアにしたがって実行する一時的な切替要求を送信する際の処理である。
【００４２】
その当初には、具体的な切替情報をキーボード／マウス１８により入力する（ステップＳ０１）。  
図５は、このとき入力する切替情報の内容を例示するもので、例えば「Ｐｏｒｔ」「ＳＴｉｍｅ」「ＥＴｉｍｅ」の３項目からなる。
【００４３】
「Ｐｏｒｔ」は、次の切替先を示す入力信号名、「ＳＴｉｍｅ」は切替要求を送信してから実際に切替えを開始するまでの時間、「ＥＴｉｍｅ」は切替を開始してから終了し、再び自機の出力する画像信号に復帰するまでの時間をそれぞれ指示する。
【００４４】
図６は、上記切替情報の各項目を例を用いて説明するものである。
【００４５】
ここでは、上記切替情報を送信するパーソナルコンピュータ１の画像信号がＡであり、該切替情報を送信した時点ｔ１から、切替開始時間「ＳＴｉｍｅ」が経過した時点ｔ２で、データプロジェクタ装置２は入力信号を切替先入力信号名「Ｐｏｒｔ」で指定される画像信号Ｂに切替える。
【００４６】
この切替動作後、データプロジェクタ装置２はそれまでの画像信号Ａに代わって画像信号Ｂの投影表示を継続するもので、上記時点ｔ２から切替終了時間「ＥＴｉｍｅ」が経過した時点ｔ３となると、再びデータプロジェクタ装置２は画像信号Ｂに変えて画像信号Ａを選択し、投影表示する動作に復帰することとなる。  
上記のようにして切替情報の入力を完了すると、入力された切替情報は当該パーソナルコンピュータ１内において予め定められたフォーマットにしたがってコード化された上で（ステップＳ０２）、画像信号中の投影画像に直接影響しない部分に多重化することで付加され（ステップＳ０３）、その切替情報を付加した画像信号がデータプロジェクタ装置２へ送信されて（ステップＳ０４）、以上で切替情報の入力から送信に至る一連の処理を終了する。
【００４７】
一方、この切替情報が付加された画像信号を受信するデータプロジェクタ装置２の側では、図７に示すように切替情報に対応した画像信号の受信と投影表示とを実施する。
【００４８】
すなわち、図７は、データプロジェクタ装置２の制御部４６が動作プログラムにしたがって実行する投影動作である。なお、図中のフラグＦ及びタイマｔは、共に制御部４６内部のワークメモリに仮想的に構築したレジスタである。
【００４９】
その当初には、無線ＬＡＮインターフェイス４７を介して入力される画像信号（画像データ）に基づくマイクロミラー素子３７の駆動を含む投影動作を実行しながら（ステップＲ０１）、フラグＦが“１”にセットされているか否か、すなわち切替制御途中であるか否かを判断する（ステップＲ０２）。
【００５０】
ここでフラグＦが“１”ではなく“０”であり、切替制御途中ではなく通常の投影動作時であると判断すると、次に上記投影表示した画像信号中に切替情報が多重化されて付加されていたかどうかを検索し（ステップＲ０３）、その検索結果から切替情報を抽出することができたか否かを判断する（ステップＲ０４）。
【００５１】
切替情報がなかった場合には、そのまま投影動作を続行するべく再び上記ステップＲ０１からの処理に戻る。  
こうして、通常の投影動作時で、且つ画像信号中に切替情報が付加されていない場合にはステップＲ０１〜Ｒ０４の処理を繰返し実行する。
【００５２】
しかして、入力される画像信号中に切替情報が付加されていた場合、ステップＲ０４を判断して、抽出した切替情報を解読して上記図５に示した切替先入力信号名「Ｐｏｒｔ」、切替開始時間「ＳＴｉｍｅ」及び切替終了時間「ＥＴｉｍｅ」を得、これらをセットする（ステップＲ０６）。
【００５３】
続いて、フラグＦを“１”にセットすると共に（ステップＲ０６）、上記切替開始時間「ＳＴｉｍｅ」の計時を開示するべくタイマｔの値を「０」にセットし（ステップＲ０７）、その後に上記ステップＲ０１からの処理に戻る。
【００５４】
以下、ステップＲ０１で投影動作を実行し、それに合わせてタイマｔを適宜カウントアップしながら、ステップＲ０２でフラグＦが“１”であると判断すると、次にその時点で設定している画像信号は切替先入力信号名「Ｐｏｒｔ」で指示されるものであるかを判断する（ステップＲ０８）。
【００５５】
この時点ではまだ切替先入力信号名「Ｐｏｒｔ」で指示される画像信号ではないと判断すると、次いでタイマｔの経時値が上記切替開始時間「ＳＴｉｍｅ」となったか否か判断し（ステップＲ０９）、なっていない場合にはそのまま上記ステップＲ０１からの処理に戻る。
【００５６】
こうしてステップＲ０１，Ｒ０２，Ｒ０８，Ｒ０９の処理を繰返し実行し、それまでと同様の画像信号に基づく投影表示とタイマｔの適宜カウントアップを行ないながら、タイマｔの経時値が上記切替開始時間「ＳＴｉｍｅ」となるのを待機する。
【００５７】
しかして、タイマｔの計時値が上記切替開始時間「ＳＴｉｍｅ」となった時点で、上記ステップＲ０９によりこれを判断し、今度は上記切替終了時間「ＥＴｉｍｅ」の計時を開示するべくタイマｔの値を「０」にセットした上で（ステップＲ１０）、切替先入力信号名「Ｐｏｒｔ」で指示される画像信号を選択して投影表示するように入力を切替え（ステップＲ１１）、それから上記ステップＲ０１からの処理に戻る。
【００５８】
以後、今度はステップＲ０１で切替先入力信号名「Ｐｏｒｔ」で指示される画像信号に基づく投影動作を実行し、それに合わせてタイマｔを適宜カウントアップしながら、ステップＲ０２でフラグＦが“１”であると判断すると、次にその時点で設定している画像信号は切替先入力信号名「Ｐｏｒｔ」で指示されるものであるかを判断する（ステップＲ０８）。
【００５９】
ここで切替先入力信号名「Ｐｏｒｔ」で指示される画像信号であると判断すると、次いでタイマｔの経時値が上記切替終了時間「ＥＴｉｍｅ」となったか否か判断し（ステップＲ１２）、なっていない場合にはそのまま上記ステップＲ０１からの処理に戻る。
【００６０】
こうしてステップＲ０１，Ｒ０２，Ｒ０８，Ｒ１２の処理を繰返し実行し、切替先入力信号名「Ｐｏｒｔ」で指示される画像信号に基づく投影表示とタイマｔの適宜カウントアップを行ないながら、タイマｔの経時値が上記切替終了時間「ＥＴｉｍｅ」となるのを待機する。
【００６１】
そして、タイマｔの計時値が上記切替終了時間「ＥＴｉｍｅ」となった時点で、上記ステップＲ１２によりこれを判断し、フラグＦをリセットして“０”にすると共に（ステップＲ１３）、切替先入力信号名「Ｐｏｒｔ」で指示される画像信号を選択した状態から、再び元のそれまで選択していた画像信号を選択する状態に入力を切替え（ステップＲ１４）、それから上記ステップＲ０１からの処理に戻る。
【００６２】
このように、画像信号の投影表示を行なうデータプロジェクタ装置２に対して、画像信号を提供する画像出力装置である複数のパーソナルコンピュータ１，１，…が接続されている場合に、データプロジェクタ装置２ではなくパーソナルコンピュータ１，１，…の側で投影させる画像信号の切替えを制御できる。
【００６３】
加えて、上記実施の形態では、画像信号の切替えを行なうタイミング、及び切替を行なった後、再び元の画像信号に切り替える復帰タイミングを合わせて制御できるようにしたため、特に複数のパーソナルコンピュータ１，１，…で１台のデータプロジェクタ装置２を共用しながら順次プレゼンテーションを行なう場合などに好適となる。
【００６４】
なお、上記第１の動作例にあっては、切替情報により画像信号を指定した時間だけ切替えた後に、切替前の画像信号となるように再度切替えるものとして説明したが、本発明はそのような内容に限定されるものではなく、例えば切替えた後に選択する画像信号中に付加されている切替情報に基づいて順次別の画像信号に切替えるものとし、常にその時点で選択されている画像信号を出力しているパーソナルコンピュータ１が次の切替先を指定することができるものとしてもよい。
【００６５】
また、上記実施の一形態では複数のパーソナルコンピュータ（ＰＣ）１，１，‥‥と１台のデータプロジェクタ装置２とを無線ＬＡＮにより接続してなる投影システムに適用した場合について説明したが、データプロジェクタ装置２の入出力コネクタ部３１が複数備えており、ケーブルなど有線で複数のパーソナルコンピュータ（ＰＣ）１，１，‥‥と接続してなる投影システムであってもよい。この場合も同様に、データプロジェクタ装置２ではなくパーソナルコンピュータ１，１，…の側で投影させる画像信号の切替えを制御できる。
【００６６】
次に上記実施の形態の第２の動作例について説明する。  
なお、パーソナルコンピュータ１側で切替情報を入力してから送信するまでの手順自体は上記図４に示したものと基本的に同様であるので、その図示と説明は省略する。
【００６７】
図８は、上記図５の切替情報に代えて画像信号に付加される制御情報の内容を例示するものである。
【００６８】
ここでは、例えば、「Ｓｉｇｎａｌ（信号方式）」「Ｂｒｉｇｈｔｎｅｓｓ（明るさ）」「Ｃｏｎｔｒａｓｔ（コントラスト）」「Ｓｈａｒｐｎｅｓｓ（シャープネス）」「Ｚｏｏｍ（ズーム）」「Ｖｏｌｕｍｅ（音量）」及び「Ｍｕｌｔｉｖｉｅｗ（多画面表示）」の最大７項目からなる。
【００６９】
「Ｓｉｇｎａｌ（信号方式）」は、次に切替える信号方式名で、具体的なパラメータとしては、例えばＲＧＢ、ＮＴＳＣなどが指示される。
【００７０】
以下、「Ｂｒｉｇｈｔｎｅｓｓ（明るさ）」「Ｃｏｎｔｒａｓｔ（コントラスト）」「Ｓｈａｒｐｎｅｓｓ（シャープネス）」「Ｚｏｏｍ（ズーム）」及び「Ｖｏｌｕｍｅ（音量）」は、いずれもパラメータとして絶対値または相対値が指示される。
【００７１】
「Ｍｕｌｔｉｖｉｅｗ（多画面表示）」は、パラメータとして次に切替える入力信号名が指示される。
【００７２】
これら７項目はすべてを１組として纏めて指示する必要はなく、少なくとも１項目を選択して、名称（Ｎａｍｅ）と対応する具体的なパラメータ（Ｐａｒａｍ）とを指示することで、これを受けたデータプロジェクタ装置２が投影状態を変更するものとなる。
【００７３】
次いで、このような制御情報が付加された画像信号を受信するデータプロジェクタ装置２の側での処理内容を図９により説明する。
【００７４】
すなわち、図９は、データプロジェクタ装置２の制御部４６が動作プログラムにしたがって実行する投影動作である。なお、図中の「Ｎａｍｅ」及び「Ｐａｒａｍ」はいずれも共に制御部４６内部のワークメモリに仮想的に構築したレジスタである。
【００７５】
その当初には、無線ＬＡＮインタフェース４７を介して入力される画像信号（画像データ）に基づくマイクロミラー素子３７の駆動を含む投影動作を実行しながら（ステップＲ５１）、その画像信号中に制御情報が多重化されて付加されていたかどうかを検索し（ステップＲ５２）、その検索結果から制御情報を抽出することができたか否かを判断する（ステップＲ５３）。
【００７６】
制御情報がなかった場合には、そのまま投影動作を続行するべく再び上記ステップＲ５１からの処理に戻る。  
こうして、ステップＲ５１〜Ｒ５３の処理を繰返し実行し、入力される画像信号に基づいた投影動作を行ないながら、制御情報が付加された画像信号中の入力を待機する。
【００７７】
しかして、入力される画像信号中に制御情報が付加されていた場合、これをステップＲ５３を判断して、制御情報を取得する（ステップＲ５４）。
【００７８】
次いで、取得した制御情報から一つの項目分を選択し、その名称を「Ｎａｍｅ」レジスタに、パラメータを「Ｐａｒａｍ」レジスタにそれぞれセットする（ステップＲ５５）。
【００７９】
そして、この「Ｎａｍｅ」レジスタにセットした名称の機能がこのデータプロジェクタ装置２で制御可能であるか否かを確認し（ステップＲ５６）、制御可能であれば次に「Ｐａｒａｍ」レジスタにセットした制御の内容をその機能上でサポートしているか否かを確認する（ステップＲ５７）。
【００８０】
ここでサポートしていることを確認した場合にのみ、当該「Ｎａｍｅ」及び「Ｐａｒａｍ」の両レジスタにて指示される機能変更設定を実行する（ステップＲ５８）。
【００８１】
また、上記ステップＲ５６で「Ｎａｍｅ」レジスタにセットした名称の機能がこのデータプロジェクタ装置２では制御できるものではないと判断した場合、及びその機能の制御は可能であるものの、上記ステップＲ５７で「Ｐａｒａｍ」レジスタにセットした制御の内容はその機能上でサポートしていないと判断した場合には、制御情報のその項目に関しては実行することができないため、上記ステップＲ５８での機能変更設定は行なわない。
【００８２】
その後、上記ステップＲ５４で取得した制御情報のうち、他にもまだ検討していない項目があるか否かを判断し（ステップＲ５９）、あると判断した場合には上記ステップＲ５５からの処理に戻る。
【００８３】
こうして、ステップＲ５４で取得した制御情報中の項目数に応じてステップＲ５６〜Ｒ５９の処理を繰返し実行した後、もう実行するべき項目がなくなるとステップＲ５９でこれを判断し、再び入力される画像信号に対する投影表示を行なうべく上記ステップＲ５１からの処理に戻る。
【００８４】
このように、本来データプロジェクタ装置２の側で行なわなければならない各種の機能変更をこのデータプロジェクタ装置２に画像信号を出力するパーソナルコンピュータ１，１，…の側で任意にコントロールすることが可能となる。
【００８５】
なお、上記実施の形態では、パーソナルコンピュータ１，１，…からの画像信号中の投影画像に直接影響しない部分に切替情報または制御情報を多重化するものとして説明したが、本発明はこれに限るものではなく、あえて切替情報または制御信号を画像コード化した上で、投影される画像に嵌込み合成した画像信号を作成してデータプロジェクタ装置２へ出力するものとしてもよい。
【００８６】
図１０は、画像に切替情報または制御情報を２次元コード化して嵌込み合成して投影させた状態を例示するものである。  
ここでは、投影画像ＩＭ中の所定位置、例えば右下のコーナー部に、切替情報または制御情報ＣＩを代表的な２次元コードであるＱＲコード（登録商標）化して合成し、投影表示させた場合を例示している。
【００８７】
このような画像を投影するデータプロジェクタ装置２にあっては、上記図３で示した構成に加えて、投影レンズ４３による投影範囲をカバーする撮影範囲を有する撮像部をさらに設け、投影画像を逐次撮像して、投影画像ＩＭ中の所定位置にある切替情報または制御情報ＣＩを取得し、その画像認識を行なうことで切替情報または制御情報ＣＩの内容を解読するようになる。
【００８８】
また、上記ＱＲコードに限らず、より一般的な１次元コードであるバーコードや、他の２次元コード、例えばＤａｔａ  Ｍａｔｒｉｘ（登録商標）などを用いるものとしてもよいし、さらには画像全体にユーザの目には見えない形で情報を埋め込むステガノグラフィの技術を適用するものとしてもよい。
【００８９】
さらに、データプロジェクタ装置２とパーソナルコンピュータ１，１，…の接続は無線ＬＡＮによるものでなく、有線で接続され、入出力コネクタ部３１を介して画像信号（画像データ）を入力するものであってもよい。
【００９０】
加えて、上記実施の形態は、複数の画像出力装置であるパーソナルコンピュータ１，１，…と投影装置であるデータプロジェクタ装置２とで構築した投影システムを例にとって示したが、本発明はこれに限ることなく、書画台上に載置されたドキュメント書類の画像を撮影し、画像信号化して出力する書画カメラ等を画像出力装置とすることも同様に可能となる。
【００９１】
その他、本発明は上記実施の形態に限らず、その要旨を逸脱しない範囲内で種々変形して実施することが可能であるものとする。
【００９２】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００９３】
【図１】本発明の実施の一形態に係る投影システム全体の接続構成を示す図。
【図２】同実施の形態に係るプロジェクタ装置の機能回路構成を示すブロック図。
【図３】同実施の形態に係るパーソナルコンピュータの機能回路構成を示すブロック図。
【図４】同実施の形態の第１の動作例に係るＰＣの動作内容を示すフローチャート。
【図５】同実施の形態の第１の動作例に係る切替情報の内容を示す図。
【図６】同実施の形態の第１の動作例に係る信号の切替状態を説明する図。
【図７】同実施の形態の第１の動作例に係るデータプロジェクタ装置の動作内容を示すフローチャート。
【図８】同実施の形態の第２の動作例に係る切替情報の内容を示す図。
【図９】同実施の形態の第２の動作例に係るデータプロジェクタ装置の動作内容を示すフローチャート。
【図１０】同実施の形態に係る切替情報または制御情報を付加下投影画像を例示する図。
【符号の説明】
【００９４】
１…パーソナルコンピュータ、２…データプロジェクタ装置、３…ＲＧＢケーブル、１１…ＣＰＵ、１２…ノースブリッジ、１３…メインメモリ、１４…グラフィックコントローラ、１５…グラフィックメモリ、１６…サウスブリッジ、１７…ＰＣＩバス、１８…キーボード／マウス、１９…ビデオエンコーダ、２０…無線ＬＡＮインタフェース（Ｉ／Ｆ）、２１…マルチディスクドライブ、２２…ハードディスク装置（ＨＤＤ）、２３…無線アンテナ、３１…入出力コネクタ部、３２…入出力インタフェース（Ｉ／Ｆ）、３３…画像変換部、３４…投影エンコーダ、３５…ビデオＲＡＭ、３６…投影駆動部、３７…マイクロミラー素子（ＳＯＭ）、３８…リフレクタ、３９…光源ランプ、４０…カラーホイール、４１…ライトトンネル、４２…ミラー、４３…投影レンズ、４４…モータ（Ｍ）、４５…投影光処理部、４６…制御部、４７…無線ＬＡＮインタフェース（Ｉ／Ｆ）、４８…測距処理部、４９…音声処理部、５０…無線アンテナ、５１…測距センサ、５２…スピーカ、５３…キースイッチ（ＳＷ）部、５４…Ｉｒ受信部、ＡＧＰ…グラフィクスインタフェース、ＦＳＢ…フロントサイドバス、ＭＢ…メモリバス、ＳＢ…システムバス。
【図１】
2007148124.tif 000003
【図２】
2007148124.tif 000004
【図３】
2007148124.tif 000005
【図４】
2007148124.tif 000006
【図５】
2007148124.tif 000007
【図６】
2007148124.tif 000008
【図７】
2007148124.tif 000009
【図８】
2007148124.tif 000010
【図９】
2007148124.tif 000011
【図１０】
2007148124.tif 000012